(57)【要約】【課題】プラグをジャックから容易に取り外すことができる用具及びプラグの取り外し方法を提供すること。【解決手段】用具は、基部と、第１面及び第２面を有し、基部に突出して配された突出部と、突出部の第１面側に対応する基部の面に配され、突出部の根元側から延びる溝部と、を備える。第１面と第２面は、基部側から突出部の先端側に向けて互いに交差する方向に延びる。【選択図】図２
2015099743.tif 000002
【特許請求の範囲】
【請求項１】
基部と、
第１面及び第２面を有し、前記基部に突出して配された突出部と、
前記突出部の前記第１面側に対応する前記基部の面に配され、前記突出部の根元側から延びる溝部と、
を備え、
前記第１面と前記第２面が、前記基部側から前記突出部の先端側に向けて互いに交差する方向に延びる、用具。
【請求項２】
前記突出部の前記第１面と、前記突出部の前記第１面と連接する前記溝部の底面部分とは同一面をなす、請求項１に記載の用具。
【請求項３】
前記突出部の先端は、プラグがジャックに装着された状態における前記プラグのロックレバーと前記ジャックとの間に挿入可能な寸法を有する、請求項１又は２に記載の用具。
【請求項４】
前記突出部の少なくとも一部は、プラグがジャックに装着された状態における前記プラグのロックレバーと前記ジャックとの間に前記突出部を差し込むことに応答して前記ロックレバーの少なくとも一部を変位させる寸法を有する、請求項１乃至３のいずれか一項に記載の用具。
【請求項５】
前記突出部の前記第１面側に対応する前記基部の面の少なくとも一部に、立った状態に配された第１ガイド部及び第２ガイド部をさらに備え、
前記第１ガイド部と前記第２ガイド部とは、前記溝部を挟んで対向する、請求項１乃至４のいずれか一項に記載の用具。
【請求項６】
前記第１ガイド部又は前記第２ガイド部の少なくとも一部は、プラグがジャックに装着された状態における前記プラグのロックレバーと前記ジャックとの間に前記突出部を差し込んだ状態において、前記プラグの少なくとも一部に沿う、請求項５に記載の用具。
【請求項７】
ジャックに装着されたプラグに対し、前記プラグのロックレバーの少なくとも一部を、用具に配された溝部に収容することと、
前記プラグのロックレバーと前記ジャックとの間に、先端に向かって厚さが薄くなっている前記用具の突出部を挿入することと、
前記用具を挿入したことに応じて、前記用具が前記ロックレバーの少なくとも一部を変位させ、前記ロックレバーの変位に応じて前記ロックレバーと前記ジャックとの引っ掛かりを解除することと、
を含むプラグの取り外し方法。
【請求項８】
前記ロックレバーと前記ジャックとの間への前記突出部の挿入は前記ロックレバーに沿って前記用具を移動させながら行う、請求項７に記載のプラグの取り外し方法。
【請求項９】
前記ロックレバーと前記ジャックとの引っ掛かりが解除された状態において、前記用具及び前記プラグを前記ジャックから引き抜くことをさらに含む、請求項７又は８に記載のプラグの取り外し方法。
【請求項１０】
前記ロックレバーと対向する前記プラグの第１面と交差する前記プラグの第２面に、前記用具の一部を沿わせながら、前記用具を前記プラグのロックレバーと前記ジャックとの間に挿入する、請求項７乃至９のいずれか一項に記載のプラグの取り外し方法。
【発明の詳細な説明】
【技術分野】
【０００１】
本発明は、用具（ないし工具）に関する。本発明は、特にプラグないしコネクタをジャックから取り外すための取り外し用具に関する。また、本発明は、プラグないしコネクタをジャックから取り外すための取り外し方法に関する。
【背景技術】
【０００２】
例えば有線ＬＡＮ（Local Area Network）においては通信用ケーブルが使用される。ケーブルの末端にはプラグ（ないしコネクタ）が取り付けられている。このプラグを装置や建物に設けられたジャックに差し込むことによって接続が形成される。規格化されたプラグやジャックは、モジュラプラグ(Modular Plug)、モジュラコネクタ（Modular Connector）、モジュラジャック（Modular Jack）、レジスタードジャック（Registered Jack）などと呼ばれている。
【０００３】
このようなプラグには、一方向に可動するロックレバーが設けられている。プラグをジャックに差し込んだとき、ロックレバーがジャックに引っ掛かり、プラグの抜け落ちが防止される。ジャックからプラグを取り外す場合には、ロックレバーを指で押して、ロックレバーとジャックとの引っ掛かりを外すことになる。
【０００４】
例えば特許文献１には、ケーブル用コネクタ挿抜工具が開示されている。特許文献１に記載のケーブル用コネクタ挿抜工具は、作業者により把持される把持部と、把持部の一端に設けられ第１コネクタを嵌脱可能に保持する第一挿抜部と、把持部の他端に設けられ第２コネクタを嵌脱可能に保持する第二挿抜部とからなり、第一挿抜部には、第１コネクタのラッチ部へ係合する第１係合溝が形成されているとともに、該第１係合溝の両側に第１ケーブルの挿抜方向に対して垂直に立設され且つ先端に爪部を有する一対の掛止部が設けられ、第二挿抜部には、第２コネクタのラッチ部へ係合する第２係合溝が形成されているとともに、該第２係合溝に対向するようにして支持板部が設けられている。
【先行技術文献】
【特許文献】
【０００５】
【特許文献１】特開２００６−３４４４１０号公報
【発明の概要】
【発明が解決しようとする課題】
【０００６】
以下の分析は、本発明の観点から与えられる。
【０００７】
ジャックに差し込まれたプラグを取り外す場合、例えばロックレバーが破損した場合などにおいて、作業者の手ではプラグをジャックから容易には取り外せない状態に陥ることがある。このような場合、例えば、プラグを破壊する方法を採らなければならないこともある。しかしながら、この方法によると、プラグを破壊するときにジャックも破損させるおそれがある。また、安全性を確保するために、ジャックが設けられた装置の電源を落とす必要がある。この場合には、電源切断のための時間ロスが生じることになる。さらに、プラグの破壊によって、プラグの取り付け作業やケーブルの交換作業が必要となる。この場合にも作業時間のロスが生じることになる。
【０００８】
別の方法として、プラグをジャックから強引に引き抜こうとすれば、プラグもジャックも破損させるおそれがある。
【０００９】
特許文献１に記載のケーブル用コネクタ挿抜工具は、正常なロックレバーを操作するための工具であって、ロックレバーが破損している場合には適用することはできない。
【課題を解決するための手段】
【００１０】
本発明の第１視点によれば、基部と、第１面及び第２面を有し、基部に突出して配された突出部と、突出部の第１面側に対応する基部の面に配され、突出部の根元側から延びる溝部と、を備える用具（ないし工具）が提供される。第１面と第２面は、基部側から突出部の先端側に向けて互いに交差する方向に延びる。
【００１１】
本発明の第２視点によれば、ジャックに装着されたプラグに対し、プラグのロックレバーの少なくとも一部を、用具（ないし工具）に配された溝部に収容することと、プラグのロックレバーとジャックとの間に、先端に向かって厚さが薄くなっている用具の突出部を挿入することと、用具を挿入したことに応じて、用具がロックレバーの少なくとも一部を変位させ、ロックレバーの変位に応じてロックレバーとジャックとの引っ掛かりを解除することと、を含むプラグの取り外し方法が提供される。
【発明の効果】
【００１２】
ジャックに装着されたプラグを容易に取り外すことができる。
【図面の簡単な説明】
【００１３】
【図１】第１実施形態に係る用具の概略正面図。
【図２】第１実施形態に係る用具の概略側面図。
【図３】第１実施形態に係る用具の概略上面図。
【図４】第１実施形態に係る用具の概略下面図。
【図５】図３のＶ−Ｖ線における用具の概略断面図。
【図６】第１実施形態に係る用具の拡大概略上面図。
【図７】第１実施形態に係る用具の拡大概略側面図。
【図８】第１実施形態に係る用具の拡大概略正面図。
【図９】第２実施形態に係る用具の概略正面図。
【図１０】第２実施形態に係る用具の概略側面図。
【図１１】第２実施形態に係る用具の概略上面図。
【図１２】第２実施形態に係る用具の概略下面図。
【図１３】第２実施形態に係る用具の概略背面図。
【図１４】第２実施形態に係る用具の拡大概略側面図。
【図１５】第２実施形態に係る用具の拡大概略正面図。
【図１６】第２実施形態に係る用具の変形例を示す概略正面図。
【図１７】ジャックの概略平面図。
【図１８】図１７のXVIII−XVIII線に沿った概略断面図。
【図１９】プラグの概略平面図。
【図２０】ジャックにプラグが装着された状態を示す概略図。
【図２１】第３実施形態に係るプラグの取り外し方法、並びに第１及び第２実施形態に係る用具の動作を説明するための概略工程図。
【図２２】第３実施形態に係るプラグの取り外し方法、並びに第１及び第２実施形態に係る用具の動作を説明するための概略工程図。
【図２３】第３実施形態に係るプラグの取り外し方法、並びに第１及び第２実施形態に係る用具の動作を説明するための概略工程図。
【図２４】第３実施形態に係るプラグの取り外し方法、並びに第１及び第２実施形態に係る用具の動作を説明するための概略工程図。
【図２５】第３実施形態に係るプラグの取り外し方法、並びに第１及び第２実施形態に係る用具の動作を説明するための概略工程図。
【図２６】第３実施形態に係るプラグの取り外し方法、並びに第１及び第２実施形態に係る用具の動作を説明するための概略工程図。
【図２７】第４実施形態に係るプラグの取り外し方法、並びに第１及び第２実施形態に係る用具の動作を説明するための概略工程図。
【図２８】第４実施形態に係るプラグの取り外し方法、並びに第１及び第２実施形態に係る用具の動作を説明するための概略工程図。
【図２９】第４実施形態に係るプラグの取り外し方法、並びに第１及び第２実施形態に係る用具の動作を説明するための概略工程図。
【図３０】第４実施形態に係るプラグの取り外し方法、並びに第１及び第２実施形態に係る用具の動作を説明するための概略工程図。
【発明を実施するための形態】
【００１４】
以下の説明において、図面参照符号は発明の理解のために付記しているものであり、図示の態様に限定することを意図するものではない。各実施形態において、同じ要素には同じ符号を付してある。図面において、表面上に存在しない線は破線で示してあるものもある。
【００１５】
第１実施形態に係る用具について説明する。第１実施形態に係る用具は、例えば、ジャック（例えば、モジュラジャック、レジスタードジャック等）に装着ないし接続されたプラグないしコネクタ（例えば、モジュラプラグ、モジュラコネクタ等）から取り外すプラグの取り外し用具として使用することができる。図１乃至図８に、第１実施形態に係る用具の概略平面図を示す。図１に示す面を正面と設定する。この場合、図１は、用具の概略正面図である。図２は、用具の概略側面図である。図３は、用具の概略上面図である。図４は、用具の概略下面図である。図５に、図３のＶ−Ｖ線における用具の概略断面図を示す。図６は、用具の拡大概略上面図である。図７は、用具の拡大概略側面図である。図８は、用具の拡大概略正面図である。
【００１６】
図１７乃至図２０に、第１及び第２実施形態に係る用具を適用可能なジャック及びプラグの概略図を示す。図１７は、ジャックの概略平面図である。図１８は、図１７のXVIII−XVIII線に沿った概略断面図である。図１９は、プラグの概略平面図である。図２０は、ジャックにプラグが装着された状態を示す。
【００１７】
用具１０は、第１面（下面）２ａ及び第２面（上面）２ｂを有する基部２と、基部２に突出して設けられた少なくとも１つの突出部１とを備える。突出部１は、基部２の端部の少なくとも一部に配されると好ましい。突出部１は、基部２の中心線上に配すると好ましい。図３に示す形態においては、用具１０の平面図は、図面上横方向（後述の第１の方向Ｘ）に延びている基部２の中心線（不図示）に対して線対称となっている。通常、プラグ６０におけるロックレバー６１及びジャック５０におけるロックレバー収容部５１は、図面上横方向の中央に配されているため、ジャック５０と用具１０と位置合わせを容易にすることができる。
【００１８】
基部２は、用具１０の基本骨格となり得る。基部２は、例えば、平板で構成することができる。基部２は、凹凸、曲面、貫通孔などを有してもよい。基部２は、図３に示すような上面形状が例えば長方形状に形成することができる。
【００１９】
突出部１は、第１面１ａ及び第２面１ｂを備える。突出部１の第１面１ａと基部２の第１面２ａとは連続していると好ましい。突出部１の第２面１ｂと基部２の第２面２ｂとは連続していると好ましい。図面に示す形態においては、第１面１ａは、水平方向に向かって配されている。第１面１ａは、基部２が延びている方向と同方向に延びていると好ましい。図面に示す形態においては、第２面１ｂは、水平方向に対して斜め方向に配されている。第２面１ｂは、基部２の延びている方向に対して傾斜していると好ましい。特に、第２面１ｂは、基部２の上面から第１面１ａ方向に傾斜していると好ましい。第１面１ａ及び第２面１ｂは、突出部１の先端側に向けて互いに交差する方向に延びていると好ましい。これにより、突出部１の厚さは、先端側に向かって薄くなる。突出部１の先端は、プラグ６０がジャック５０に装着された状態において、プラグ６０のロックレバー６１とジャック５０との間に挿入可能な厚さであると好ましい。
【００２０】
用具１０は、突出部１の第１面１ａ側に対応する基部２の面の少なくとも一部に、溝部３をさらに備えると好ましい。図面に示す形態においては、溝部３は、基部２の第１面２ａ（下面）に設けられている。溝部３は、突出部１の根元側から、突出部１の先端方向とは反対方向に延びていると好ましい。溝部３の底面３ａと突出部１の第１面１ａとは連続すると好ましい。図５に示すように、突出部１の第１面１ａと、突出部１の第１面１ａと連接する溝部３の底面３ａ部分とは同一平面を形成するとより好ましい。この場合、溝部３の底面３ａ部分における基部２の厚さと、突出部１の根元側の厚さとは同じ厚さになる。突出部１の基部２と先端とを結ぶ方向と、溝部３が延びている方向とは、同方向であると好ましい。図面に示す形態においては、溝部３は、基部２全体に形成してあるが、基部２の一部に形成する形態であってもよい。溝部３の長さは、プラグ６０のロックレバー６１の長さよりも長いと好ましい。
【００２１】
用具１０において、溝部３と突出部１の位置関係は、溝部３にプラグ６０のロックレバー６１をはめ込んだ状態において、突出部１がロックレバー６１上またはロックレバー６１が延びている方向上に位置するともに、突出部１がジャック５０のロックレバー収容部５１に挿入可能であると好ましい。これにより、プラグ６０の取り外し操作時の位置合わせが容易になる。
【００２２】
突出部１の第１面１ａ及び第２面１ｂを平面的に見た状態において、突出部１の根元側から先端側に向かう方向を第１の方向Ｘとする。第１の方向と交差する方向、好ましくは直角に交差する方向、を第２方向Ｙとする。また、突出部１の第１面１ａ又は第２面１ｂに沿った方向から見た状態において、第１の方向Ｘと交差する方向、好ましくは直角に交差する方向、を第３の方向Ｚとする。以下では、第１の方向Ｘに対応する寸法を長さと称する。第２の方向Ｙに対応する寸法を幅と称する。第３の方向Ｚに対応する寸法を高さないし深さと称する。
【００２３】
突出部１の先端の幅Ｗ１１は、ジャック５０における、プラグ６０のロックレバー６１を収容する収容部５１の幅Ｗ５１よりも狭くすると好ましい。突出部１の先端の幅Ｗ１１は、突出部１の根元の幅Ｗ１２よりも狭いと好ましい。すなわち、突出部１は、根元から先端に向けて幅が狭くなると好ましい。これにより、作業者が突出部１を収容部５１に差し込みやすくなる。また、突出部１の根元側を太くすることにより、突出部１の強度を高めることができる。
【００２４】
突出部１の最も広い部分の幅Ｗ１２は、ジャック５０の収容部５１の幅Ｗ５１よりも狭いと好ましい。突出部１をロックレバー収容部５１に指し込み可能とするためである。
【００２５】
基部２の幅、特に作業時にジャックと対向する部分の幅Ｗ２１は、ジャックの幅Ｗ５２以下であると好ましい。突出部１をロックレバー収容部５１に挿入したときに、基部２の両側がジャック５０の両側よりも内側にあると好ましい。これにより、スペースが狭い作業環境においてもプラグの抜き取り作業を行うことができる。
【００２６】
基部２の長さは、使用者の扱いやすさ、用具１０を取り扱う環境等に応じて適宜設定することができる。
【００２７】
突出部１の根元側の厚さＴ１１は、ジャック５０の収容部５１の高さＴ５１以上であると好ましい。突出部１をロックレバー６１とジャック５０との間に挿入して押し込んだ状態において、突出部１の厚さＴ１１によってロックレバー６１を押圧することができるからである。
【００２８】
突出部１の長さＬ１１は、突出部１をロックレバー６１上に差し込んだときに、突出部１の厚さでロックレバー６１を押圧できるように、突出部１をジャック５０に押し込み可能な長さであると好ましい。したがって、突出部１の長さＬ１１は、ジャック５０の収容部５１の長さ（奥行き）Ｌ５１以下であると好ましい。
【００２９】
溝部３の幅Ｗ３１は、プラグ６０のロックレバー６１の幅Ｗ６１よりも広いと好ましい。溝部３にロックレバー６１の一部を嵌め込むためである。また、溝部３の幅Ｗ３１は、突出部１とロックレバー６１との位置合わせ可能な広さであると好ましい。
【００３０】
溝部３の深さＤ３１は、ロックレバー６１の厚さＴ６１よりも大きいと好ましい。また、溝部３の突出部１からの長さは、ロックレバー６１の長さよりも長いと好ましい。溝部３内にロックレバー６１を収容できるようにするためである。
【００３１】
用具１０は、絶縁性材料で形成すると好ましい。特に、突出部１及び基部２は絶縁性材料で形成すると好ましい。用具１０は例えば樹脂で形成することができる。用具１０は、取り外すプラグのロックレバーよりも高い剛性を有すると好ましい。特に、突出部１及び基部２は、取り外すプラグのロックレバーよりも高い剛性を有すると好ましい。
【００３２】
用具１０は、基部２と、プラグ６０及びケーブルのうちの少なくとも一方とを固定する固定部を有してもよい。あるいは、用具１０は、別部材として、基部２と、プラグ６０及びケーブルのうちの少なくとも一方とを固定する固定用具を有してもよい。これにより、プラグ６０の取り外し作業を容易にすることができる。
【００３３】
第２実施形態に係る用具について説明する。図９乃至図１６に、第２実施形態に係る用具の概略平面図を示す。図９に示す面を正面と設定する。この場合、図９は、用具の概略正面図である。図１０は、用具の概略側面図である。図１１は、用具の概略上面図である。図１２は、用具の概略下面図である。図１３は、用具の概略背面図である。第２実施形態は、第１実施形態のより好ましい形態である。具体的には、第２実施形態に係る用具２０は、第１実施形態に係る用具に加えて、さらに少なくとも１つのガイド部を備える。図１４は、用具の拡大概略側面図である。図１５は、用具の拡大概略正面図である。図１６は、図９乃至１５に示す形態の変形例である。
【００３４】
用具２０は、突出部１、基部２及び溝部３に加えて、基部２の少なくとも一部に、少なくとも１つのガイド部４，５をさらに備える。
【００３５】
ガイド部４，５は、溝部３が形成された基部２の面側から第３の方向Ｚに向かって延びている。ガイド部４，５は、基部２の突出部１側に設けられている。ガイド部４，５は、基部２の端部に設けられると好ましい。ガイド部４，５は、用具２０を用いてプラグ６０を取り外す際にプラグ６０の側面に沿うよう基部２に配するとより好ましい。これにより、プラグ６０を取り外す作業を容易にすることができる。
【００３６】
第１ガイド部４と第２ガイド部５は、溝部３を挟んで対向すると好ましい。第１ガイド部４及び第２ガイド部５は、溝部３が延びている方向に沿って、好ましくは溝部３が延びている方向と同方向に延びていると好ましい。ガイド部４，５は片側に１箇所以上形成することができる。図１５に示すような平面図において、基部２、第１ガイド部４及び第２ガイド部５は、コの字状の形状になると好ましい。第１ガイド部４と溝部３の間隔と、第２ガイド部５と溝部３の間隔とは同じにすると好ましい。
【００３７】
用具２０において、第１ガイド部４及び第２ガイド部５と、溝部３との位置関係は、第１ガイド部４と第２ガイド部５でプラグ６０を挟んだ状態において、ロックレバー６１が溝部３に収容可能な関係にあると好ましい。また、用具２０において、第１ガイド部４及び第２ガイド部５と、突出部１との位置関係は、第１ガイド部４と第２ガイド部５でプラグ６０を挟んだ状態において、突出部１がロックレバー６１上またはロックレバー６１が延びている方向上に位置するとともに、突出部１がジャック５０のロックレバー収容部５１に挿入可能であると好ましい。これにより、第１ガイド部４及び第２ガイド部５でプラグ６０を挟むことによって位置合わせができる。
【００３８】
ガイド部４，５の少なくとも一方の長さＬ４１は、プラグ６０をジャック５０に差し込んだ状態において、ジャック５０から露出しているプラグ６０の長さＬ６１よりも長いと好ましい。また、ガイド部４，５の少なくとも一方の高さＨ４１は、プラグ６０の高さＨ６１よりも高いと好ましい。プラグ６０の取り外し作業時に、ガイド部４，５がプラグ６０に対してガイドの役割を果たし、作業を容易にすることができる。
【００３９】
ガイド部４，５の少なくとも一方の幅Ｗ４１（厚さ）は、ジャック５０の側面側の幅Ｗ５３よりも狭いと好ましい。並列配置された複数のジャックにプラグが差し込まれ、隣接するプラグ間のスペースが狭い場合であっても、用具２０の使用を可能にすることができる。
【００４０】
第１ガイド部４と第２ガイド部５との間隔Ｄ４１は、プラグ６１の幅Ｗ６２よりも大きいと好ましい。第１ガイド部４と第２ガイド部５との間に、プラグ６１を嵌め込むことを可能にするためである。
【００４１】
図９乃至図１５に示す形態においては、第１ガイド部４と第２ガイド部５とは同じ形状、同じ寸法であるように図示したが、第１ガイド部４と第２ガイド部５とは同じ形状、同じ寸法でなくとも構わない。
【００４２】
図９乃至図１５に示す形態においては、プラグ６１を挟み込み可能な２つのガイド部４，５を図示した。しかし、ガイド部は、１つであっても構わない。図１６に、ガイド部が１つの形態を示す。ガイド部の数以外は図９乃至図１５に示す形態と同様である。これによっても、プラグ６０の取り外し作業の作業性を高めることができる。
【００４３】
ガイド部４，５は、絶縁性材料であってもよいし、導電性材料であってもよい。ガイド部４，５を基部２と一体に形成する場合には、ガイド部４，５は絶縁性材料で形成すると好ましい。この場合、ガイド部４，５は例えば樹脂で形成することができる。また、ガイド部４，５は、プラグ６０よりも高い剛性を有すると好ましい。
【００４４】
第２実施形態における上記以外の形態は、第１実施形態と同様である。
【００４５】
第３実施形態に係るプラグの取り外し方法、並びに第１及び第２実施形態に係る用具の動作について説明する。図２１乃至図２６に、第３実施形態に係るプラグの取り外し方法、並びに第１及び第２実施形態に係る用具の動作を説明するための概略工程図を示す。図２１及び図２３においては、用具２０及びプラグ６０の概略背面図を示す。図２２及び図２４乃至図２６は、用具２０及びプラグ６０の概略側面図を示す。なお、図２２及び図２４乃至図３０においては、プラグ６０との関係を認識できるように用具２０を透明に図示している。
【００４６】
図２１乃至図２６に示す形態は、第２実施形態に係る用具を用いた方法を基礎としている。しかし、第１実施形態に係る用具についても、第３実施形態に係る取り外し方法を同様に適用することができる。
【００４７】
まず、ジャック５０から露出しているプラグ６０を、第１ガイド部４及び第２ガイド部５で挟む（図２１）。プラグ６０のロックレバー６１の少なくとも一部を溝部３に収容する（図２２）。ロックレバー６１を溝部３に収容した状態で、ロックレバー収容部５１におけるロックレバー６１とジャック５０との間に突出部１を挿入するために、用具２０をジャック５０方向に移動させる（図２３及び図２４）。溝部３によって、ロックレバー６１に沿って用具２０をジャック５０方向に誘導すると好ましい。このとき、用具２０でロックレバー６１をプラグ方向に押圧してもよい。用具２０の基部２の第１面２ａとプラグ６０の上面とが接すると好ましい。
【００４８】
突出部１をロックレバー収容部５１に押し込むことにより、突出部１の厚みによって、用具２０でロックレバー６１を変位させる（押し下げる）ことができる（図２５）。また、突出部１の先端がロックレバー６１のロック部分（ジャック５０との引っ掛かり部分）に当たることができる。これにより、ロックレバー６１とジャック５０との引っ掛かりを解除することができる。そして、ロックレバー６１とジャック５０との引っ掛かりが解除された状態を維持しながら、プラグ６０及び用具２０を同時にジャック５０とは反対方向へ移動させる。このとき、プラグ６０と用具２０とを何らかの道具を用いて固定してもよい。以上の工程によって、プラグ６０をジャック５０から取り外すことができる。
【００４９】
第４実施形態に係るプラグの取り外し方法、並びに第１及び第２実施形態に係る用具の動作について説明する。図２７乃至図３０に、第４実施形態に係るプラグの取り外し方法、並びに第１及び第２実施形態に係る用具の動作を説明するための概略工程図を示す。第４実施形態においては、ロックレバー６１’が破損したプラグ６０の取り外し方法について説明する。
【００５０】
まず、第３実施形態と同様にして、ジャック５０から露出しているプラグ６０を、第１ガイド部４及び第２ガイド部５で挟む（図２７）。このときの概略背面図は図２１と同様の形態になる。次に、ロックレバー収容部５１における破損したロックレバー６１’とジャック５０との間に突出部１を挿入するために、用具２０をジャック５０方向に移動させる（図２８）。
【００５１】
突出部１をロックレバー収容部５１に押し込むことにより、残存したロックレバー６１’とジャック５０との間に、突出部１を挿入する。突出部１をロックレバー収容部５１内にさらに押し込むことにより、突出部１の厚みによって、用具２０でロックレバー６１’を変位させる（押し下げる）ことができる（図２９）。また、突出部１の先端がロックレバー６１’のロック部分（ジャック５０との引っ掛かり部分）に当たることができる。これにより、ロックレバー６１’とジャック５０との引っ掛かりを解除することができる。そして、ロックレバー６１’とジャック５０との取り外しが解除された状態を維持しながら、プラグ６０及び用具２０を同時にジャック５０とは反対方向へ移動させる。このとき、プラグ６０と用具２０とを何らかの道具を用いて固定してもよい。以上の工程によって、ロックレバー６１’が破損した状態においても、プラグ６０をジャック５０から取り外すことができる。
【００５２】
第４実施形態における上記以外の形態は、第３実施形態と同様である。
【００５３】
第１乃至第４実施形態によれば、ロックレバーの破損の有無にかかわらず、プラグをジャックから容易に取り外すことができる。また、ロックレバーが破損している場合には、プラグ等を破壊することなく、また、機器の電源を落とすことなくプラグをジャックから取り外すことができる。さらに、作業スペースが狭い場所であっても、容易にプラグの取り外し作業をすることができる。これらにより、時間ロス及び設備破損等に伴うコスト増大を抑制することができる。
【００５４】
本発明の用具及びプラグの取り外し方法は、上記実施形態に基づいて説明されているが、上記実施形態に限定されることなく、本発明の範囲内において、かつ本発明の基本的技術思想に基づいて、種々の開示要素（各請求項の各要素、各実施形態ないし実施例の各要素、各図面の各要素等を含む）に対し種々の変形、変更及び改良を含むことができることはいうまでもない。また、本発明の請求の範囲の枠内において、種々の開示要素（各請求項の各要素、各実施形態ないし実施例の各要素、各図面の各要素等を含む）の多様な組み合わせ・置換ないし選択が可能である。
【００５５】
本発明のさらなる課題、目的及び展開形態は、請求の範囲を含む本発明の全開示事項からも明らかにされる。
【００５６】
本書に記載した数値範囲については、当該範囲内に含まれる任意の数値ないし小範囲が、別段の記載のない場合でも具体的に記載されているものと解釈されるべきである。
【００５７】
上記実施形態の一部又は全部は、以下の付記のようにも記載されうるが、以下の記載には限定されない。
【００５８】
［付記１］
基部と、
第１面及び第２面を有し、前記基部に突出して配された突出部と、
前記突出部の前記第１面側に対応する前記基部の面に配され、前記突出部の根元側から延びる溝部と、
を備え、
前記第１面と前記第２面が、前記基部側から前記突出部の先端側に向けて互いに交差する方向に延びる、用具。
【００５９】
［付記２］
前記突出部の前記第１面と前記溝部の底面とは連続している、付記に記載の用具。
【００６０】
［付記３］
前記突出部の前記第１面と、前記突出部の前記第１面と連接する前記溝部の底面とは同一平面をなす、付記に記載の用具。
【００６１】
［付記４］
前記溝部は、前記突出部が前記基部から突出する方向に対応する第１の方向に沿って延びている、付記に記載の用具。
【００６２】
［付記５］
前記突出部の先端は、プラグがジャックに装着された状態における前記プラグのロックレバーと前記ジャックとの間に挿入可能な寸法を有する、付記に記載の用具。
【００６３】
［付記６］
前記突出部が前記基部から突出する方向に対応する第１の方向と交差する第２の方向に対応する前記突出部の先端の寸法は、前記第１の方向に向かって縮小する、付記に記載の用具。
【００６４】
［付記７］
前記突出部の少なくとも一部は、プラグがジャックに装着された状態における前記プラグのロックレバーと前記ジャックとの間に前記突出部を差し込むことに応答して前記ロックレバーの少なくとも一部を変位させる寸法を有する、付記に記載の用具。
【００６５】
［付記８］
前記溝部は、ロックレバーの少なくとも一部を収容可能な幅を有する、付記に記載の用具。
【００６６】
［付記９］
前記突出部の前記第１面側に対応する前記基部の面の少なくとも一部に、立った状態に配された少なくとも１つのガイド部をさらに備える、付記に記載の用具。
【００６７】
［付記１０］
前記突出部の前記第１面側に対応する前記基部の面の少なくとも一部に、立った状態に配された第１ガイド部及び第２ガイド部をさらに備え、
前記第１ガイド部と前記第２ガイド部とは、前記溝部を挟んで対向する、付記に記載の用具。
【００６８】
［付記１１］
前記第１ガイド部と前記第２ガイド部との間隔は、プラグを収容可能な間隔である、付記に記載の用具。
【００６９】
［付記１２］
前記第１ガイド部又は前記第２ガイド部の少なくとも一部は、プラグがジャックに装着された状態における前記プラグのロックレバーと前記ジャックとの間に前記突出部を差し込んだ状態において、前記プラグの少なくとも一部に沿う、付記に記載の用具。
【００７０】
［付記１３］
プラグがジャックに装着された状態における前記プラグのロックレバーと前記ジャックとの間に前記突出部を差し込んだ状態において、前記第１ガイド部は、前記ジャックから露出した前記プラグの第１面に沿い、前記第２ガイド部は、前記ジャックから露出した前記プラグの前記第１面に対向する第２面に沿う、付記に記載の用具。
【００７１】
［付記１４］
前記突出部が前記基部から突出する方向に対応する第１の方向と交差する第２の方向に対応する前記基部の寸法は、前記第２の方向に対応する前記ジャックの寸法よりも小さい、付記に記載の用具。
【００７２】
［付記１５］
前記プラグのロックレバーと前記ジャックとの間に前記突出部を差し込んだ状態において、前記基部は、前記第２の方向に対応する前記基部の両側が、前記第２の方向に対応する前記ジャックの両側よりも内側にある、付記に記載の用具。
【００７３】
［付記１６］
ジャックに装着されたプラグに対し、前記プラグのロックレバーの少なくとも一部を、用具に配された溝部に収容することと、
前記プラグのロックレバーと前記ジャックとの間に、先端に向かって厚さが薄くなっている前記用具の突出部を挿入することと、
前記用具を挿入したことに応じて、前記用具が前記ロックレバーの少なくとも一部を変位させ、前記ロックレバーの変位に応じて前記ロックレバーと前記ジャックとの引っ掛かりを解除することと、
を含むプラグの取り外し方法。
【００７４】
［付記１７］
前記ロックレバーと前記ジャックとの間への前記突出部の挿入は前記ロックレバーに沿って前記用具を移動させながら行う、付記に記載のプラグの取り外し方法。
【００７５】
［付記１８］
前記ロックレバーと前記ジャックとの引っ掛かりが解除された状態において、前記用具及び前記プラグを前記ジャックから引き抜くことをさらに含む、付記に記載のプラグの取り外し方法。
【００７６】
［付記１９］
前記ロックレバーと対向する前記プラグの第１面と、前記用具の少なくとも一部とを接触させる、付記に記載のプラグの取り外し方法。
【００７７】
［付記２０］
前記ロックレバーと対向する前記プラグの第１面と交差する前記プラグの第２面に、前記用具の一部を沿わせながら、前記用具を前記プラグのロックレバーと前記ジャックとの間に挿入する、付記に記載のプラグの取り外し方法。
【産業上の利用可能性】
【００７８】
本発明は、プラグ（コネクタ）を使用する業務に適用することができる。例えば、本発明に係る用具及び取り外し方法は、ネットワーク関連のメンテナンスサービスに適用することができる。
【符号の説明】
【００７９】
１          突出部
１ａ        第１面
１ｂ        第２面
２          基部
２ａ        第１面
２ｂ        第２面
３          溝部
３ａ        底面
４          第１ガイド部
５          第２ガイド部
１０，２０          用具
５０          ジャック
５１          ロックレバー収容部
６０          プラグ
６１          ロックレバー
６１’        破損したロックレバー
【図１】
2015099743.tif 000003
【図２】
2015099743.tif 000004
【図３】
2015099743.tif 000005
【図４】
2015099743.tif 000006
【図５】
2015099743.tif 000007
【図６】
2015099743.tif 000008
【図７】
2015099743.tif 000009
【図８】
2015099743.tif 000010
【図９】
2015099743.tif 000011
【図１０】
2015099743.tif 000012
【図１１】
2015099743.tif 000013
【図１２】
2015099743.tif 000014
【図１３】
2015099743.tif 000015
【図１４】
2015099743.tif 000016
【図１５】
2015099743.tif 000017
【図１６】
2015099743.tif 000018
【図１７】
2015099743.tif 000019
【図１８】
2015099743.tif 000020
【図１９】
2015099743.tif 000021
【図２０】
2015099743.tif 000022
【図２１】
2015099743.tif 000023
【図２２】
2015099743.tif 000024
【図２３】
2015099743.tif 000025
【図２４】
2015099743.tif 000026
【図２５】
2015099743.tif 000027
【図２６】
2015099743.tif 000028
【図２７】
2015099743.tif 000029
【図２８】
2015099743.tif 000030
【図２９】
2015099743.tif 000031
【図３０】
2015099743.tif 000032